(57)【要約】【課題】ループ試験を長時間継続させることと、ループ状態の異常保持を防止することとの両立を図る。【解決手段】ＲＭＣ２内に、ループ状態を強制的に解除するためのタイマ＃１を設け、ＣＭＣ１内に、ＲＭＣ２のタイマ＃１よりも短い時間に設定されたタイマ＃２を設ける。フレーム試験開始時には、ＣＭＣ１のタイマ＃２およびＲＭＣ２のタイマ＃１を起動し、試験フレームの送受信を開始する。フレーム試験延長時には、タイマ＃２が満了した時点でループ試験延長要求の制御フレームをＣＭＣ１からＲＭＣ２に送信してＲＭＣ２のタイマ＃１を再起動し、さらに、ＣＭＣ１のタイマ＃２を再起動する。フレーム試験終了時には、試験フレームの送受信を終了し、ＣＭＣ１のタイマ＃２およびＲＭＣ２のタイマ＃１を停止する。【選択図】　　　図４
2004015398.tif 000002
【特許請求の範囲】
【請求項１】
センターメディアコンバータとリモートメディアコンバータとを１対１で接続し、前記センターメディアコンバータから送信した試験フレームを前記リモートメディアコンバータで折り返すループ試験を実行する、メディアコンバータのループ試験方法であって、
前記ループ試験を開始する際に、前記センターメディアコンバータから前記リモートメディアコンバータに、ループ試験開始要求の制御フレームを送信するステップと、
前記リモートメディアコンバータが、ループ状態に遷移するとともに該ループ状態を強制的に解除するための第１のタイマを起動し、さらに、前記センターメディアコンバータにループ試験開始応答の制御フレームを送信するステップと、
前記センターメディアコンバータが、前記第１のタイマを監視するために該第１のタイマよりも短い時間に設定された第２のタイマを起動するとともに、前記リモートメディアコンバータへの前記試験フレームの送信および前記リモートメディアコンバータからの前記試験フレームの検査を開始するステップと、
前記ループ試験を延長する際に、前記第２のタイマが満了した時点で前記センターメディアコンバータから前記リモートメディアコンバータにループ試験延長要求の制御フレームを送信するステップと、
前記リモートメディアコンバータが、前記第１のタイマを再起動するとともに、前記センターメディアコンバータにループ試験延長応答の制御フレームを送信するステップと、
前記センターメディアコンバータが、前記第２のタイマを再起動するステップと、
前記ループ試験を終了する際に、前記センターメディアコンバータが、前記リモートメディアコンバータへの前記試験フレームの送信および前記リモートメディアコンバータからの前記試験フレームの検査を終了するとともに、前記リモートメディアコンバータにループ試験終了要求の制御フレームを送信するステップと、
前記リモートメディアコンバータが、ループ状態を解除するとともに前記第１のタイマを停止し、さらに、前記センターメディアコンバータにループ試験終了応答の制御フレームを送信するステップと、
前記センターメディアコンバータが、前記第２のタイマを停止するステップとを有する、メディアコンバータのループ試験方法。
【請求項２】
前記リモートメディアコンバータは、前記センターメディアコンバータからのループ試験終了要求の制御フレームを受信する前に、前記第１のタイマが満了した場合、該第１のタイマが満了した時点でループ状態を解除する、請求項１に記載のメディアコンバータのループ試験方法。
【請求項３】
前記第２のタイマを、前記第１のタイマよりも少なくとも前記制御フレームの送受信分短い時間に設定する、請求項１または２に記載のメディアコンバータのループ試験方法。
【請求項４】
センターメディアコンバータとリモートメディアコンバータとを１対１で接続し、前記センターメディアコンバータから送信した試験フレームを前記リモートメディアコンバータで折り返すループ試験を実行する、伝送システムにおいて、
前記リモートメディアコンバータは、
前記試験フレームをループするループ手段と、
前記ループ手段のループ状態を強制的に解除するための第１のタイマと、
前記センターメディアコンバータからのループ試験開始要求／ループ試験延長要求／ループ試験終了要求の制御フレームを受信して解読する第１の制御フレーム終端手段と、
前記第１の制御フレーム終端手段でループ試験開始要求の制御フレームを受信した場合に、前記ループ手段をループ状態に遷移させるとともに前記第１のタイマを起動させ、前記第１の制御フレーム終端手段でループ試験延長要求の制御フレームを受信した場合に、前記第１のタイマを再起動させ、前記第１の制御フレーム終端手段でループ試験終了要求の制御フレームを受信した場合に、前記ループ手段のループ状態を解除させるとともに前記第１のタイマを停止させるループ点制御手段と、
前記センターメディアコンバータからのループ試験開始要求／ループ試験延長要求／ループ試験終了要求に対するループ試験開始応答／ループ試験延長応答／ループ試験終了応答の制御フレームを生成し、前記センターメディアコンバータに送信する第１の制御フレーム生成手段とを有し、
前記センターメディアコンバータは、
前記試験フレームを生成して前記リモートコンバータに送信するとともに、前記リモートコンバータから受信した前記試験フレームを検査する試験フレーム生成／終端手段と、
前記第１のタイマを監視するために該第１のタイマよりも短い時間に設定された第２のタイマと、
前記ループ試験を開始／終了する際に、ループ試験開始要求／ループ試験終了要求の制御フレームを生成して前記リモートメディアコンバータに送信し、前記ループ試験を延長する際に、前記第２のタイマが満了した時点でループ試験延長要求の制御フレームを生成して前記リモートメディアコンバータに送信する第２の制御フレーム生成手段と、
前記リモートメディアコンバータからループ試験開始応答／ループ試験延長応答／ループ試験終了応答の制御フレームを受信して解読し、ループ試験開始応答の制御フレームを受信した場合に、前記試験フレーム生成／終端手段に前記リモートメディアコンバータへの前記試験フレームの送信および前記リモートメディアコンバータからの前記試験フレームの検査を開始させるとともに前記第２のタイマを起動させ、ループ試験延長応答の制御フレームを受信した場合に、前記第２のタイマを再起動させ、ループ試験終了応答の制御フレームを受信した場合に、前記第２のタイマを停止させる第２の制御フレーム終端手段と、
前記ループ試験を開始／終了する際に、前記第２の制御フレーム生成手段がループ試験開始要求／ループ試験終了要求の制御フレームを生成する際のトリガとなる信号を前記第２の制御フレーム生成手段に送信し、前記ループ試験を終了する際に、前記試験フレーム生成／終端手段に前記リモートメディアコンバータへの前記試験フレームの送信および前記リモートメディアコンバータからの前記試験フレームの検査を終了させる試験制御手段とを有する、伝送システム。
【請求項５】
前記ループ点制御手段は、前記センターメディアコンバータからのループ試験終了要求の制御フレームを受信する前に、前記第１のタイマが満了した場合、該第１のタイマが満了した時点で前記ループ手段のループ状態を解除させる、請求項４に記載の伝送システム。
【請求項６】
前記第２のタイマは、前記第１のタイマよりも少なくとも前記制御フレームの送受信分短い時間に設定される、請求項４または５に記載の伝送システム。
【発明の詳細な説明】
【０００１】
【発明の属する技術分野】
本発明は、メディアコンバータのループ試験方法、および伝送システムに関する。
【０００２】
【従来の技術】
メディアコンバータは、電気信号（例えば、１０ＢａｓｅＴ／１００ｂａｓｅＴｘ）の伝送路と光信号（例えば、１芯または２芯の１００ｂａｓｅＦｘ）の伝送路とを接続し、電気信号および光信号を相互に変換する機能を備えている。このため、電気信号による伝送距離の限界を光信号の伝送距離まで延長させることができる。
【０００３】
メディアコンバータを用いた伝送システムとして、局側にセンターメディアコンバータ（Ｃｅｎｔｅｒ−Ｍｅｄｉａ　Ｃｏｎｖｅｒｔｅｒ；以下、ＣＭＣと称する）を設置し、ユーザ側にリモートメディアコンバータ（Ｒｅｍｏｔｅ−Ｍｅｄｉａ　Ｃｏｎｖｅｒｔｅｒ；以下、ＲＭＣと称する）を設置し、ＣＭＣとＲＭＣを光ファイバ等で相互に接続したものがある。
【０００４】
この伝送システムでは、ＲＭＣが遠隔地に設置されるため、ＲＭＣの初期導入時、または、障害発生時の切り分けのために、ＣＭＣの制御の元でループ試験を行うことが必須となる。ループ試験とは、ＣＭＣからＲＭＣに試験フレームを送信し、ＲＭＣで折り返された試験フレームの検査をＣＭＣで行うことにより、ＣＭＣとＲＭＣとの間の通信の正当性を確認する試験のことである。
【０００５】
このとき、ＲＭＣは遠隔地に設置されるため、ＣＭＣの制御の不整合によるループ状態の異常保持（ロック）を防ぐ要求がある。そのループ状態の異常保持を復旧させるために、ＲＭＣにループ状態を強制解除するためのタイマを設ける。
【０００６】
しかしながら、障害発生時の切り分けを行うためには、ループ試験を長時間行う必要があるが、ループ状態を強制解除するタイマにより、ＲＭＣのループ状態を長時間維持させることができない。
【０００７】
従って、ＲＭＣにループ状態を強制解除するためのタイマを設ける要求と、ループ試験を長時間行う要求とは矛盾する。
【０００８】
【発明が解決しようとする課題】
そこで、本発明の目的は、ループ試験を長時間継続させることと、ループ状態の異常保持を防止することとの両立を図ることができるメディアコンバータのループ試験方法、および伝送システムを提供することにある。
【０００９】
【課題を解決するための手段】
上記目的を達成するために本発明のメディアコンバータのループ試験方法は、センターメディアコンバータとリモートメディアコンバータとを１対１で接続し、前記センターメディアコンバータから送信した試験フレームを前記リモートメディアコンバータで折り返すループ試験を実行する、メディアコンバータのループ試験方法であって、前記ループ試験を開始する際に、前記センターメディアコンバータから前記リモートメディアコンバータに、ループ試験開始要求の制御フレームを送信するステップと、前記リモートメディアコンバータが、ループ状態に遷移するとともに該ループ状態を強制的に解除するための第１のタイマを起動し、さらに、前記センターメディアコンバータにループ試験開始応答の制御フレームを送信するステップと、前記センターメディアコンバータが、前記第１のタイマを監視するために該第１のタイマよりも短い時間に設定された第２のタイマを起動するとともに、前記リモートメディアコンバータへの前記試験フレームの送信および前記リモートメディアコンバータからの前記試験フレームの検査を開始するステップと、前記ループ試験を延長する際に、前記第２のタイマが満了した時点で前記センターメディアコンバータから前記リモートメディアコンバータにループ試験延長要求の制御フレームを送信するステップと、前記リモートメディアコンバータが、前記第１のタイマを再起動するとともに、前記センターメディアコンバータにループ試験延長応答の制御フレームを送信するステップと、前記センターメディアコンバータが、前記第２のタイマを再起動するステップと、前記ループ試験を終了する際に、前記センターメディアコンバータが、前記リモートメディアコンバータへの前記試験フレームの送信および前記リモートメディアコンバータからの前記試験フレームの検査を終了するとともに、前記リモートメディアコンバータにループ試験終了要求の制御フレームを送信するステップと、前記リモートメディアコンバータが、ループ状態を解除するとともに前記第１のタイマを停止し、さらに、前記センターメディアコンバータにループ試験終了応答の制御フレームを送信するステップと、前記センターメディアコンバータが、前記第２のタイマを停止するステップとを有することを特徴とするものである。
【００１０】
この場合、リモートメディアコンバータが第１のタイマによりループ状態を自律的に解除する前に、ループ試験の延長制御を行うため、ループ試験をオペレータ任意の長時間継続させることが可能となる。
【００１１】
また、前記リモートメディアコンバータは、前記センターメディアコンバータからのループ試験終了要求の制御フレームを受信する前に、前記第１のタイマが満了した場合、該第１のタイマが満了した時点でループ状態を解除することとしても良い。
【００１２】
この場合、リモートメディアコンバータは、ループ試験終了要求の制御フレームが喪失したとしても、第１のタイマによりループ状態を自律的に解除するため、ループ状態が不本意に継続することを防止することが可能となる。
【００１３】
また、前記第２のタイマを、前記第１のタイマよりも少なくとも前記制御フレームの送受信分短い時間に設定することとしても良い。
【００１４】
上記目的を達成するために本発明の伝送システムは、センターメディアコンバータとリモートメディアコンバータとを１対１で接続し、前記センターメディアコンバータから送信した試験フレームを前記リモートメディアコンバータで折り返すループ試験を実行する、伝送システムにおいて、前記リモートメディアコンバータは、前記試験フレームをループするループ手段と、前記ループ手段のループ状態を強制的に解除するための第１のタイマと、前記センターメディアコンバータからのループ試験開始要求／ループ試験延長要求／ループ試験終了要求の制御フレームを受信して解読する第１の制御フレーム終端手段と、前記第１の制御フレーム終端手段でループ試験開始要求の制御フレームを受信した場合に、前記ループ手段をループ状態に遷移させるとともに前記第１のタイマを起動させ、前記第１の制御フレーム終端手段でループ試験延長要求の制御フレームを受信した場合に、前記第１のタイマを再起動させ、前記第１の制御フレーム終端手段でループ試験終了要求の制御フレームを受信した場合に、前記ループ手段のループ状態を解除させるとともに前記第１のタイマを停止させるループ点制御手段と、前記センターメディアコンバータからのループ試験開始要求／ループ試験延長要求／ループ試験終了要求に対するループ試験開始応答／ループ試験延長応答／ループ試験終了応答の制御フレームを生成し、前記センターメディアコンバータに送信する第１の制御フレーム生成手段とを有し、前記センターメディアコンバータは、前記試験フレームを生成して前記リモートコンバータに送信するとともに、前記リモートコンバータから受信した前記試験フレームを検査する試験フレーム生成／終端手段と、前記第１のタイマを監視するために該第１のタイマよりも短い時間に設定された第２のタイマと、前記ループ試験を開始／終了する際に、ループ試験開始要求／ループ試験終了要求の制御フレームを生成して前記リモートメディアコンバータに送信し、前記ループ試験を延長する際に、前記第２のタイマが満了した時点でループ試験延長要求の制御フレームを生成して前記リモートメディアコンバータに送信する第２の制御フレーム生成手段と、前記リモートメディアコンバータからループ試験開始応答／ループ試験延長応答／ループ試験終了応答の制御フレームを受信して解読し、ループ試験開始応答の制御フレームを受信した場合に、前記試験フレーム生成／終端手段に前記リモートメディアコンバータへの前記試験フレームの送信および前記リモートメディアコンバータからの前記試験フレームの検査を開始させるとともに前記第２のタイマを起動させ、ループ試験延長応答の制御フレームを受信した場合に、前記第２のタイマを再起動させ、ループ試験終了応答の制御フレームを受信した場合に、前記第２のタイマを停止させる第２の制御フレーム終端手段と、前記ループ試験を開始／終了する際に、前記第２の制御フレーム生成手段がループ試験開始要求／ループ試験終了要求の制御フレームを生成する際のトリガとなる信号を前記第２の制御フレーム生成手段に送信し、前記ループ試験を終了する際に、前記試験フレーム生成／終端手段に前記リモートメディアコンバータへの前記試験フレームの送信および前記リモートメディアコンバータからの前記試験フレームの検査を終了させる試験制御手段とを有することを特徴とするものである。
【００１５】
また、前記ループ点制御手段は、前記センターメディアコンバータからのループ試験終了要求の制御フレームを受信する前に、前記第１のタイマが満了した場合、該第１のタイマが満了した時点で前記ループ手段のループ状態を解除させることとしても良い。
【００１６】
また、前記第２のタイマは、前記第１のタイマよりも少なくとも前記制御フレームの送受信分短い時間に設定されることとしても良い。
【００１７】
【発明の実施の形態】
以下に、本発明の実施の形態について図面を参照して説明する。
【００１８】
図１は、本発明の一実施形態による伝送システムの全体接続図である。
【００１９】
図１を参照すると、本発明の一実施形態による伝送システムにおいては、局側に設置されたセンターメディアコンバータ（Ｃｅｎｔｅｒ−Ｍｅｄｉａ　Ｃｏｎｖｅｒｔｅｒ；以下、ＣＭＣと称する）１と、ユーザ側に設置され、遠隔地にあるリモートメディアコンバータ（Ｒｅｍｏｔｅ−Ｍｅｄｉａ　Ｃｏｎｖｅｒｔｅｒ；以下、ＲＭＣと称する）２とが、１芯の光ファイバＳ１により相互に接続されている。
【００２０】
図２は、図１に示したＲＭＣ２のブロック図である。
【００２１】
図２を参照すると、ＲＭＣ２は、光モジュール３と、光側Ｐ―ＬＳＩ（Ｐｈｙｓｉｃａｌ−Ｌａｒｇｅ　Ｓｃａｌｅ　Ｉｎｔｅｇｒａｔｉｏｎ）４と、電気側Ｐ―ＬＳＩ５と、受信制御フレームドロップ部６と、送信制御フレームインサート部７と、受信制御フレーム終端部８と、送信制御フレーム生成部９と、ループ点制御部１０と、タイマ（＃１）１１とを有している。
【００２２】
光モジュール３は、ＣＭＣ１から光ファイバＳ１を介して受信した光信号を電気信号に変換し、擬似ＥＣＬ（Ｅｍｉｔｔｅｒ　Ｃｏｕｐｌｅｄ　Ｌｏｇｉｃ）信号Ｓ２として光側Ｐ−ＬＳＩ４に転送する。また、ＲＭＣ２内の擬似ＥＣＬ信号Ｓ２を光信号に変換して光ファイバＳ１を介してＣＭＣ１に送信する。
【００２３】
光側Ｐ−ＬＳＩ４は、光モジュール３から転送された擬似ＥＣＬ信号Ｓ２をデコード化し、受信論理信号Ｓ３として受信制御フレームドロップ部６に転送する。また、ＣＭＣ１に送信する送信論理信号Ｓ８を光ファイバＳ１上に適した擬似ＥＣＬ信号Ｓ２に符号化して光モジュール３に転送する。
【００２４】
受信制御フレームドロップ部６は、光側Ｐ−ＬＳＩ４から転送された受信論理信号Ｓ３の中から受信制御フレームＳ５をドロップし、受信制御フレーム終端部８に転送する。また、受信制御フレームＳ５以外の信号（受信試験フレーム等）Ｓ４を電気側Ｐ―ＬＳＩ５に転送する。
【００２５】
受信制御フレーム終端部８は、受信制御フレームドロップ部６から転送された受信制御フレームＳ５を解読することで、その受信制御フレームＳ５がループ試験開始／延長／終了要求のどの制御フレームであるかを判断し、その情報をループ開始／延長／終了信号Ｓ９としてループ点制御部１０に転送する。
【００２６】
ループ点制御部１０は、受信制御フレーム終端部８からループ開始信号Ｓ９が転送された場合は、電気側Ｐ−ＬＳＩ５にループ開始信号Ｓ１３を転送して電気側Ｐ−ＬＳＩ５をループ状態に遷移させる制御を行うとともに、ループ強制解除用のタイマ（＃１）１１にタイマ開始信号Ｓ１１を転送してタイマ（＃１）１１を起動させる制御を行う。また、ループ延長信号Ｓ９が転送された場合は、タイマ（＃１）１１にタイマ開始信号Ｓ１１を転送してタイマ（＃１）１１を再起動させる制御を行い、ループ終了信号Ｓ９が転送された場合は、電気側Ｐ−ＬＳＩ５にループ終了信号Ｓ１３を転送して電気側Ｐ−ＬＳＩ５にループ状態を解除させる制御を行うとともに、タイマ（＃１）１１にタイマ終了信号Ｓ１１を転送してタイマ（＃１）１１を解除（停止）する制御を行う。また、タイマ（＃１）１１からタイマ満了信号Ｓ１２が転送された場合は、電気側Ｐ−ＬＳＩ５にループ終了信号Ｓ１３を転送して電気側Ｐ−ＬＳＩ５にループ状態を解除させる制御を行う。また、ループ試験開始／延長／終了の情報をループ状態情報Ｓ１０として送信制御フレーム生成部９に転送する。
【００２７】
タイマ（＃１）１１は、ループ点制御部１０からタイマ開始信号Ｓ１１が転送された場合に起動し、タイマ終了信号Ｓ１１が転送された場合に停止する。また、タイマ満了時には、タイマ満了信号Ｓ１２をループ点制御部１０に転送するとともに、自律的に再起動する。
【００２８】
送信制御フレーム生成部９は、ループ点制御部１０から転送されたループ状態情報Ｓ１０に基づいて、ＣＭＣ１からのループ試験開始／延長／終了要求に応答するループ試験開始／延長／終了応答の送信制御フレームＳ７を生成して送信制御フレームインサート部７に転送する。
【００２９】
電気側Ｐ−ＬＳＩ５は、ループ点制御部１０からループ開始信号Ｓ１３が転送された場合は、受信制御フレームドロップ部６から転送された信号Ｓ４を折り返した折り返し信号Ｓ６を送信制御フレームインサート部７に転送し、ループ終了信号Ｓ１３が転送された場合は、信号Ｓ４を折り返すことなくユーザ側電気信号Ｓ２９としてユーザ側に転送する。また、ユーザ側から転送されたユーザ側電気信号Ｓ２９を送信ユーザフレームＳ６として送信制御フレームインサート部７に転送する。
【００３０】
送信制御フレームインサート部７は、送信制御フレーム生成部９から転送された送信制御フレームＳ７を、電気側Ｐ−ＬＳＩ５から転送された信号Ｓ６の間にインサートし、送信論理信号Ｓ８として光側Ｐ−ＬＳＩ４に転送する。このとき、送信制御フレームＳ７がインサートされる信号Ｓ６は、ループ試験期間中は電気側Ｐ−ＬＳＩ５で折り返された送信試験フレームとなり、それ以外の期間中はユーザ側から転送されたユーザ側電気信号Ｓ２９である送信ユーザフレームとなる。
【００３１】
図３は、図１に示したＣＭＣ１のブロック図である。
【００３２】
図３を参照すると、ＣＭＣ１は、光モジュール１２と、光側Ｐ―ＬＳＩ１３と、受信制御フレームドロップ部１４と、受信試験フレームドロップ部１５と、送信試験フレームインサート部１６と、送信制御フレームインサート部１７と、試験フレーム生成／終端部１８と、受信制御フレーム終端部１９と、送信制御フレーム生成部２０と、タイマ（＃２）２１と、試験制御部２２とを有している。
【００３３】
試験制御部２２は、ループ試験開始／終了時に、ループ開始／終了信号Ｓ２３を生成して送信制御フレーム生成部２０に転送し、ループ試験終了時に、試験終了信号Ｓ２７を生成して試験フレーム生成／終端部１８に転送する。
【００３４】
送信制御フレーム生成部２０は、試験制御部２２からループ開始信号Ｓ２３が転送された場合は、ループ試験開始要求の送信制御フレームＳ２１を生成して送信制御フレームインサート部１７に転送し、ループ終了信号Ｓ２３が転送された場合は、ループ試験終了要求の送信制御フレームＳ２１を生成して送信制御フレームインサート部１７に転送する。また、ＲＭＣ２のループ強制解除用のタイマ（＃１）１１を監視するタイマ（＃２）２１からタイマ満了信号Ｓ２４が転送された場合は、ループ試験延長要求の送信制御フレームＳ２１を生成して送信制御フレームインサート部１７に転送する。
【００３５】
受信制御フレーム終端部１９は、ＲＭＣ２からの受信制御フレームＳ１８を解読することで、その受信制御フレームＳ１８がループ試験開始／延長／終了応答のどの制御フレームであるかを判断する。ループ試験開始応答の受信制御フレームＳ１８である場合は、試験フレーム生成／終端部１８に試験開始信号Ｓ２６を転送するとともに、タイマ（＃２）２１にタイマ開始信号Ｓ２５を転送してタイマ（＃２）２１を起動させる制御を行う。また、ループ試験延長応答の受信制御フレームＳ１８である場合は、タイマ（＃２）２１にタイマ開始信号Ｓ２５を転送してタイマ（＃２）２１を再起動させる制御を行う。また、ループ試験終了応答の受信制御フレームＳ１８である場合は、タイマ（＃２）２１にタイマ終了信号Ｓ２５を転送してタイマ（＃２）２１を解除（停止）させる制御を行う。
【００３６】
タイマ（＃２）２１は、ＲＭＣ２のループ延長を行うために、ＲＭＣ２のループ強制解除用のタイマ（＃１）１１よりも短い時間（少なくとも制御フレームの送受信分短い時間）に設定されたタイマであり、受信制御フレーム終端部１９からタイマ開始信号Ｓ２５が転送された場合に起動し、タイマ終了信号Ｓ２５が転送された場合に停止する。また、タイマ満了時には、送信制御フレーム生成部２０がループ試験延長要求の送信制御フレームＳ２１を生成する場合のトリガとなるタイマ満了信号Ｓ２４を生成して送信制御フレーム生成部２０に転送するとともに、自律的に再起動する。
【００３７】
試験フレーム生成／終端部１８は、受信制御フレーム終端部１９から試験開始信号Ｓ２６が転送された場合は、送信試験フレームＳ１９を生成して送信試験フレームインサート部１６に転送すると同時に、ＲＭＣ２からの受信試験フレームＳ１７の検査を開始する。また、試験制御部２２から試験終了信号Ｓ２７が転送された場合は、送信試験フレームＳ１９の転送を停止・終了すると同時に、受信試験フレームＳ１７の検査を停止・終了する。
【００３８】
送信試験フレームインサート部１６は、試験フレーム生成／終端部１８から転送された送信試験フレームＳ１９を、局側から転送された局側電気信号Ｓ２８にインサートし、信号Ｓ２０として送信制御フレームインサート部１７に転送する。
【００３９】
送信制御フレームインサート部１７は、送信制御フレーム生成部２０から転送された送信制御フレームＳ２１を、送信試験フレームインサート部１６から転送された信号Ｓ２０にインサートし、送信論理信号Ｓ２２として光側Ｐ−ＬＳＩ１３に転送する。このとき、送信制御フレームＳ２１がインサートされる信号Ｓ２０は、ループ試験期間中は試験フレーム生成／終端部１８から転送された送信試験フレームとなり、それ以外の期間中は局側から転送された局側電気信号Ｓ２８である送信ユーザフレームとなる。
【００４０】
受信制御フレームドロップ部１４は、光側Ｐ−ＬＳＩ１３から転送された受信論理信号Ｓ１５の中から受信制御フレームＳ１８をドロップし、受信制御フレーム終端部１９に転送する。また、受信制御フレームＳ１８以外の信号（受信試験フレーム等）Ｓ１６を受信試験フレームドロップ部１５に転送する。
【００４１】
受信試験フレームドロップ部１５は、受信制御フレームドロップ部１４から転送された信号Ｓ１６の中から受信試験フレームＳ１７をドロップし、試験フレーム生成／終端部１８に転送する。また、受信試験フレームＳ１７以外の信号を局側電気信号Ｓ２８として局側に転送する。
【００４２】
光側Ｐ−ＬＳＩ１３は、ＲＭＣ２からの擬似ＥＣＬ信号Ｓ１４をデコード化し、受信論理信号Ｓ１５として受信制御フレームドロップ部１４に転送する。また、送信制御フレームインサート部１７から転送された送信論理信号Ｓ２２を光ファイバＳ１上に適した擬似ＥＣＬ信号Ｓ１４に符号化して光モジュール１２に転送する。
【００４３】
光モジュール１２は、ＲＭＣ２から光ファイバＳ１を介して受信した光信号を電気信号に変換し、擬似ＥＣＬ信号Ｓ１４として光側Ｐ−ＬＳＩ３に転送する。また、光側Ｐ−ＬＳＩ１３から転送された擬似ＥＣＬ信号Ｓ２２を光信号に変換して光ファイバＳ１を介してＣＭＣ１に送信する。
【００４４】
以下に、図１〜図３に示した伝送システムの動作について、図４のシーケンス図を用いて説明する。
【００４５】
まず、ループ試験を開始する際のシーケンスを説明する。
【００４６】
ＣＭＣ１内では、試験制御部２２が、ループ開始信号Ｓ２３を送信制御フレーム生成部２０に転送し、送信制御フレーム生成部２０が、ＲＭＣ２へのループ試験開始要求の送信制御フレームＳ２１を生成し、送信制御フレームインサート部１７、光側Ｐ−ＬＳＩ１３および光モジュール１２を介してＲＭＣ２に送信する（ステップ４０１）。
【００４７】
ＲＭＣ２内では、受信制御フレーム終端部８が、ＣＭＣ１からのループ試験開始要求の受信制御フレームＳ５を受信・解読し、ループ開始信号Ｓ９をループ点制御部１０に転送する。ループ点制御部１０は、ループ開始信号Ｓ９により、電気側Ｐ−ＬＳＩをループ状態に遷移させる制御を行うと同時にループ強制解除用のタイマ（＃１）１１を起動させる制御を行う（ステップ４０２）。送信制御フレーム生成部９は、ループ点制御部１０からのループ状態情報Ｓ１０の変化によりループ試験開始応答の送信制御フレームＳ７を生成し、送信制御フレームインサート部７、光側Ｐ−ＬＳＩ４および光モジュール３を介してＣＭＣ１に送信する（ステップ４０３）。
【００４８】
ＣＭＣ１内では、受信制御フレーム終端部１９が、ＲＭＣ２からのループ試験開始応答の受信制御フレームＳ１８を受信・解読し、タイマ（＃２）２１を起動させる制御を行うとともに、試験フレーム生成／終端部１８に試験開始信号Ｓ２６を転送する。試験フレーム生成／終端部１８は、試験開始信号Ｓ２６により、送信試験フレームＳ１９を生成し、送信試験フレームインサート部１６、送信制御フレームインサート部１７、光側Ｐ−ＬＳＩ１３および光モジュール１２を介してＲＭＣ２に送信すると同時に、ＲＭＣ２からの受信試験フレームＳ１７の検査を開始する（ステップ４０４）。
【００４９】
以降、ＣＭＣ１とＲＭＣ２との間で試験フレームの送受信を繰り返す。
【００５０】
次に、ループ試験を延長する際のシーケンスを説明する。
【００５１】
前述の状態では、ＣＭＣ１内で、試験フレームの生成・送信と検査が継続し、タイマ（＃２）２１が継続して起動している状態であり、ＲＭＣ２内で、ループ状態が継続し、タイマ（＃１）１１が継続して起動している状態である。
【００５２】
ＣＭＣ１内では、前述の状態でタイマ（＃２）２１が満了になった場合（ステップ４０５）、タイマ（＃２）２１は、送信制御フレーム生成部２０がループ試験延長要求の制御フレームを生成する場合のトリガとなるタイマ満了信号Ｓ２４を生成して送信制御フレーム生成部２０に転送する。タイマ（＃２）２１は、ＲＭＣ２のタイマ（＃１）１１よりも短い時間に設定されているため、ＣＭＣ１のタイマ（＃２）２１が満了になった時点ではＲＭＣ２のループ状態は継続している。送信制御フレーム生成部２０は、上記のトリガにより、ループ試験延長要求の送信制御フレームＳ２１を生成し、送信制御フレームインサート部１７、光側Ｐ−ＬＳＩ１３および光モジュール１２を介してＲＭＣ２に送信する（ステップ４０６）。送信試験フレームＳ２０の送信中に送信制御フレームＳ２１を送信する場合、送信制御フレームインサート部１７は、送信試験フレームＳ２０と重ならないように送信制御フレームＳ２１をインサートする。
【００５３】
ＲＭＣ２内では、受信制御フレーム終端部８が、ＣＭＣ１からのループ試験延長要求の受信制御フレームＳ５を受信・解読し、ループ延長信号Ｓ９をループ点制御部１０に転送する。ループ点制御部１０は、ループ延長信号Ｓ９により、タイマ（＃２）２１を再起動（タイマ延長）させる制御を行うとともに（ステップ４０７）、ループ状態情報Ｓ１０を変化させる。送信制御フレーム生成部９は、ループ点制御部１０からのループ状態情報Ｓ１０の変化によりループ試験延長応答の送信制御フレームＳ７を生成し、送信制御フレームインサート部７、光側Ｐ−ＬＳＩ４および光モジュール３を介してＣＭＣ１に送信する（ステップ４０８）。送信試験フレームＳ６の送信中に送信制御フレームＳ７を送信する場合、送信制御フレームインサート部７は、送信試験フレームＳ６と重ならないように送信制御フレームＳ７をインサートする。
【００５４】
ＣＭＣ１内では、受信制御フレーム終端部１９が、ＲＭＣ２からのループ試験延長応答の受信制御フレームＳ１８を受信・解読し、ＲＭＣ２のタイマ（＃１）１１の監視用のタイマ（＃２）２１を再起動させる制御を行う（ステップ４０９）。
【００５５】
以降、ＣＭＣ１とＲＭＣ２との間で試験フレームの送受信を繰り返す。ＲＭＣ２のタイマ（＃１）１１が満了にならないように、ＣＭＣ１のタイマ（＃２）２１が満了になった時点で上記動作を繰り返すことにより、任意の長時間のループ状態を持続させることが可能となる。
【００５６】
最後に、ループ試験を終了する際のシーケンスを説明する。
【００５７】
ＣＭＣ１内では、試験制御部２２が、試験終了信号Ｓ２７を試験フレーム生成／終端部１８に転送し、試験フレーム生成／終端部１８が、送信試験フレームＳ１９の生成・送信と受信試験フレームＳ１７の検査を終了する（ステップ４１０）。これと同時に、試験制御部２２は、ループ終了信号Ｓ２３を送信制御フレーム生成部２０に転送し、送信生制御フレーム生成部２０は、ループ終了信号Ｓ２３をトリガにしてループ試験終了要求の送信制御フレームＳ２１を生成し、送信制御フレームインサート部１７、光側Ｐ−ＬＳＩ１３および光モジュール１２を介してＲＭＣ２に送信する（ステップ４１１）。
【００５８】
ＲＭＣ２内では、受信制御フレーム終端部８が、ＣＭＣ１からのループ試験終了要求の受信制御フレームＳ５を受信・解読し、ループ終了信号Ｓ９をループ点制御部１０に転送する。ループ点制御部１０は、ループ終了信号Ｓ９により、タイマ（＃１）１１を停止させる制御を行うと同時に、電気側Ｐ―ＬＳＩ５にループ状態を解除させる制御を行い、さらに、ループ状態情報Ｓ１０を変化させる（ステップ４１２）。送信制御フレーム生成部９は、ループ点制御部１０からのループ状態情報Ｓ１０の変化によりループ試験終了応答の送信制御フレームＳ７を生成し、送信制御フレームインサート部７、光側Ｐ−ＬＳＩ４および光モジュール３を介してＣＭＣ１に送信する（ステップ４１３）。
【００５９】
ＣＭＣ１内では、受信制御フレーム終端部１９が、ＲＭＣ２からのループ試験終了応答の受信制御フレームＳ１５を受信・解読し、タイマ（＃２）２１を停止させる制御を行う（ステップ４１４）。
【００６０】
以上により、ループ強制解除用のタイマ（＃１）１１を持つＲＭＣ２に対して長時間のループ試験を実行することが可能となる。
【００６１】
また、ループ試験終了要求の制御フレームが喪失しても、ＲＭＣ２においてタイマ（＃１）１１によりループ状態を解除することができるため、ループ状態が不本意に継続してしまうことを防止することが可能となる。
【００６２】
【発明の効果】
以上説明したように本発明においては、ループ状態を強制的に解除するための第１のタイマを具備するリモートメディアコンバータと、第１のタイマを監視するために該第１のタイマよりも短い時間に設定された第２のタイマを具備し、第２のタイマが満了した場合にループ試験延長要求の制御フレームをリモートメディアコンバータに送信するセンターメディアコンバータとを設けている。
【００６３】
それにより、リモートメディアコンバータが第１のタイマによりループ状態を自律的に解除する前に、ループ試験の延長制御を行うことができるため、ループ試験をオペレータ任意の長時間継続させることができる。
【００６４】
また、リモートメディアコンバータは、第１のタイマによりループ状態を自律的に解除することができるため、ループ試験終了要求の制御フレームの喪失等によりループ状態が不本意に継続することを防止することができる。
【００６５】
従って、リモートメディアコンバータのループ状態の異常保持を防止することと、ループ試験を長時間継続させることとの両立を図ることができる。
【図面の簡単な説明】
【図１】本発明の一実施形態による伝送システムの全体接続図である。
【図２】図１に示したＲＭＣのブロック図である。
【図３】図１に示したＣＭＣのブロック図である。
【図４】図１〜図３に示した伝送システムの動作シーケンス図である。
【符号の説明】
１　　ＣＭＣ
２　　ＲＭＣ
３　　光モジュール
４　　光側Ｐ−ＬＳＩ
５　　電気側Ｐ−ＬＳＩ
６　　受信制御フレームドロップ部
７　　送信制御フレームインサート部
８　　受信制御フレーム終端部
９　　送信制御フレーム生成部
１０　　ループ点制御部
１１　　タイマ（＃１）
１２　　光モジュール
１３　　光側Ｐ−ＬＳＩ
１４　　受信制御フレームドロップ部
１５　　受信試験フレームドロップ部
１６　　送信試験フレームインサート部
１７　　送信制御フレームインサート部
１８　　試験フレーム生成／終端部
１９　　受信制御フレーム終端部
２０　　送信制御フレーム生成部
２１　　タイマ（＃２）
２２　　試験制御部
Ｓ１　　光ファイバ
Ｓ２　　擬似ＥＣＬ信号
Ｓ３　　受信論理信号
Ｓ４　　受信制御フレーム以外の信号
Ｓ５　　受信制御フレーム
Ｓ６　　折り返し信号（または送信ユーザフレーム）
Ｓ７　　送信制御フレーム
Ｓ８　　送信論理信号
Ｓ９　　ループ開始／延長／終了信号
Ｓ１０　　ループ状態情報
Ｓ１１　　タイマ開始／終了信号
Ｓ１２　　タイマ満了信号
Ｓ１３　　ループ開始／終了信号
Ｓ１４　　擬似ＥＣＬ信号
Ｓ１５　　受信論理信号
Ｓ１６　　受信制御フレーム以外の信号
Ｓ１７　　受信試験フレーム
Ｓ１８　　受信制御フレーム
Ｓ１９　　送信試験フレーム
Ｓ２０　　送信試験フレーム（または送信ユーザフレーム）
Ｓ２１　　送信制御フレーム
Ｓ２２　　送信論理信号
Ｓ２３　　ループ開始／終了信号
Ｓ２４　　タイマ満了信号
Ｓ２５　　タイマ開始／終了信号
Ｓ２６　　試験開始信号
Ｓ２７　　試験終了信号
Ｓ２８　　局側電気信号
Ｓ２９　　ユーザ側電気信号
【図１】
2004015398.tif 000003
【図２】
2004015398.tif 000004
【図３】
2004015398.tif 000005
【図４】
2004015398.tif 000006